(57)【要約】      （修正有）【課題】ＬＥＤチップの寿命延長あるいは光線の放射を均一にする直立型ＬＥＤランプを提供する。【解決手段】  矩形の導電性を有する放熱基板１と、該放熱基板の両面に設けられる複数のＬＥＤチップと、該複数のＬＥＤチップを電気的に接続して、直列接続を複数組形成する複数の導電線と、該放熱基板の両面に設けられる４枚の絶縁シートと５，５１、それぞれの該絶縁シート上に貼着され、かつ該ＬＥＤチップの直列接続の一端に電気的に接続して正極となる導電プレートと、該ＬＥＤチップの直列接続の他端に電気的に接続して負極となる導電プレートとによって対をなす複数対の導電プレート６，６Ａ，６１，６１Ａと、該複数のＬＥＤチップの表面を被覆する蛍光層と、モールド部８とによって構成し、正極となる該導電プレートと、負極となる該導電プレートと、複数のＬＥＤチップとによって直列回路を複数組形成し、かつ該複数組の直列回路が並列して設けられ、かつ該複数の直列回路が制御回路に接続して、直列回路毎に交替で発光させるか、同時に発光させるか選択できるように構成する。【選択図】図５
0003158818.tif 000002
【実用新案登録請求の範囲】
【請求項１】
矩形の導電性を有する材質によってなる放熱基板と、
該放熱基板の両面に設けられる複数のＬＥＤチップと、
導電性を有す材質によってなり、該複数のＬＥＤチップを電気的に接続して、ＬＥＤチップの直列接続を複数組形成する複数の導電線と、
絶縁性を有する材質によってなり、該放熱基板の両面に設けられる４枚の絶縁シートと、
導電性を有する材質によってなり、それぞれの該絶縁シート上に貼着され、かつ該ＬＥＤチップの直列接続の一端に電気的に接続して正極となる導電プレートと、該ＬＥＤチップの直列接続の他端に電気的に接続して負極となる導電プレートとによって対をなす、複数対の導電プレートと、
蛍光粉を含むフィルム層であって、該複数のＬＥＤチップの表面を被覆する蛍光層と、
光透過性を具える材質によってなり、該放熱基板と、該複数のＬＥＤチップと、該複数の導電線と、該四枚の絶縁シートと、該複数対の導電プレートと、該二枚の蛍光層とをモールドするモールド部と、によって構成し、
直列接続された該複数のＬＥＤチップと、正極となる該導電プレートと、負極となる該導電プレートとによって直列回路を複数組形成するとともに、該複数組の直列回路が並列して設けられ、かつ該複数の直列回路が制御回路に接続して、該直列回路に電気的に接続するそれぞれのＬＥＤチップをそれぞれの直列回路毎に交替で発光させる循環発光モードか、もしくは、すべての該直列回路に通電させて、全てのＬＥＤチップを同時に発光させる全発光モードのいずれも選択することができるように構成することを特徴とするＬＥＤランプの直立型パッケージ構造。
【考案の詳細な説明】
【技術分野】
【０００１】
本考案はＬＥＤランプに関し、直立した放熱基板の両面にＬＥＤ発光部を設けて、均一な光線の放射を達成する直立型ＬＥＤランプに関する。
【背景技術】
【０００２】
近年、電子産業の技術革新が進むにつれて、従来のタングステン電球に取って代わり図６に示すような省電力ＬＥＤランプが各種の電子製品に幅広く応用されるようになってきている。しかし、カップ内に高効率の単一のＬＥＤチップを置く構造では、長時間通電させて発光させるとＬＥＤチップの使用寿命が短くなってしまう。また、その円体の構造だと、カップの屈折により前方に光線が集光してしまい均一な発光源を得ることができないため、使用上不便であり、理想的な実用化に向けてその構造に改善の余地があるといえる。
【考案の概要】
【考案が解決しようとする課題】
【０００３】
本考案は、光線の均一な放射を達成するともに、簡易な構造でＬＥＤチップから発生する光線の色を異なる色に変化させることのできる直立型ＬＥＤランプを提供することを目的とする。
【０００４】
また、本考案は、使用寿命の長い直立型ＬＥＤランプを提供することを目的とする。
【課題を解決するための手段】
【０００５】
そこで、この考案によるＬＥＤランプの直立型パッケージ構造は、矩形の導電性を有する材質によってなる放熱基板と、該放熱基板の両面に設けられる複数のＬＥＤチップと、  導電性を有す材質によってなり、該複数のＬＥＤチップを電気的に接続して、ＬＥＤチップの直列接続を複数組形成する複数の導電線と、絶縁性を有する材質によってなり、該放熱基板の両面に設けられる４枚の絶縁シートと、導電性を有する材質によってなり、それぞれの該絶縁シート上に貼着され、かつ該ＬＥＤチップの直列接続の一端に電気的に接続して正極となる導電プレートと、該ＬＥＤチップの直列接続の他端に電気的に接続して負極となる導電プレートとによって対をなす、複数対の導電プレートと、蛍光粉を含むフィルム層であって、該複数のＬＥＤチップの表面を被覆する蛍光層と、光透過性を具える材質によってなり、該放熱基板と、該複数のＬＥＤチップと、該複数の導電線と、該四枚の絶縁シートと、該複数対の導電プレートと、該二枚の蛍光層とをモールドするモールド部と、によって構成し、直列接続された該複数のＬＥＤチップと、正極となる該導電プレートと、負極となる該導電プレートとによって直列回路を複数組形成するとともに、該複数組の直列回路が並列して設けられ、かつ該複数の直列回路を制御回路に接続して、該直列回路に電気的に接続するそれぞれのＬＥＤチップをそれぞれの直列回路毎に交替で発光させる循環発光モードか、もしくは、すべての該直列回路に通電させて、全てのＬＥＤチップを同時に発光させる全発光モードのいずれも選択することができるように構成する。
【考案の効果】
【０００６】
この考案による直立型ＬＥＤランプは、均一な光線の放射を達成することができるので、均一な照明を必要とする各種照明具に広く応用することができ、利便性が得られるとともに、ＬＥＤチップの光線の色を変化させ多様な用途に対応させることができるため、産業への応用に係る高い対応性と、広い多様性が得られるという効果を具える。
【０００７】
さらに、この考案による直立型ＬＥＤランプは、使用寿命を従来に比して大幅に延長することができ、使用者にとって経済的利益が得られるという利点を有する。
【図面の簡単な説明】
【０００８】
【図１】本考案によるＬＥＤランプの外観を示した斜視図である。
【図２】図１に開示するＬＥＤランプの分解図である。
【図３】本考案における正負直列回路の構造を示した説明図である。
【図４】図３に開示する正負直列回路を組み立てた状態を示した斜視図である。
【図５】本考案によるＬＥＤランプが発光した状態を示した説明図である。
【図６】従来技術のＬＥＤランプが発光した状態を示した説明図である。
【実施例】
【０００９】
図１から図５に示すように、本考案による直立型ＬＥＤランプは、放熱基板１、複数のＬＥＤチップ２、複数の導電線３、四枚の絶縁シート５、５１、５Ａ、５１Ａ、正極と負極とが対をなす４対の導電プレート６、６１、６Ａ、６１Ａ、６Ｂ、６１Ｂ、６Ｃ、６１Ｃ、二枚の蛍光層７、７１、及びモールド部８を含む。
【００１０】
放熱基板１は導電性を有する材質によってなり、かつ矩形を呈する板材であって、実施例においては銅板を用いる。複数のＬＥＤチップ２は半導体素子である発光ダイオードチップであって、放熱基板１の表面部分に分散して固定される。複数の導電線３は導電性を有する線材である。実施例においては、図３、４に開示するように、その両端はそれぞれのＬＥＤチップ２に電気的に接続して、複数のＬＥＤチップ２を直列に接続し、かつ直列の両端に位置する導電線３は、一端が導電プレート６、６１、６Ａ、６１Ａ、６Ｂ、６１Ｂ、６Ｃ、６１Ｃにそれぞれ電気的に接続して４組の直列接続を形成する。
【００１１】
四枚の絶縁シート５、５１、５Ａ、５１Ａは絶縁性を有する材質によってなり、放熱基板の表裏両面に貼り付けられる。正極と負極とが対をなす４対の導電プレート６、６１、６Ａ、６１Ａ、６Ｂ、６１Ｂ、６Ｃ、６１Ｃは導電性を有する材質によってなるプレートであり、絶縁シート５、５１、５Ａ、５１Ａの表面にそれぞれ貼り付けられ、一方の導電プレートが正極となるとともに、対をなす他方の導電プレートが負極となり、図４に開示するように、直列接続された複数のＬＥＤチップ２と、正極となる導電プレートと、負極となる導電プレートとによって直列回路を構成し、かつ放熱基板１の一面に２組ずつ直列回路を形成するとともに、それぞれの該直列回路が並列して設けられる。
【００１２】
二枚の蛍光層７、７１は蛍光粉を含むフィルム層であって、それぞれのＬＥＤチップ２の表面を被覆する。よって、それぞれのＬＥＤチップ２から放射される光線は、蛍光層７、７１を通過することによって色が変化する。
【００１３】
モールド部８は、樹脂、もしくはシリカゲル等の光透過性を具える材質によってなり、放熱基板１、複数のＬＥＤチップ２、複数の導電線３、四枚の絶縁シート５、５１、５Ａ、５１Ａ、正極と負極とが対をなす４対の導電プレート６、６１、６Ａ、６１Ａ、６Ｂ、６１Ｂ、６Ｃ、６１Ｃ、二枚の蛍光層７、７１の全てをモールドしてなる。
【００１４】
即ち、実施例における本考案の直立型ＬＥＤランプは、放熱基板１の一方の面と、他方の面のそれぞれに２枚ずつ、計四枚の絶縁シート５、５１、５Ａ、５１Ａを貼着し、それぞれの絶縁シート５、５１、５Ａ、５１Ａ上には、正極と負極とが対をなす４対の導電プレート６、６１、６Ａ、６１Ａ、６Ｂ、６１Ｂ、６Ｃ、６１Ｃを貼着する。正極と負極とが対をなす４対の導電プレート６、６１、６Ａ、６１Ａ、６Ｂ、６１Ｂ、６Ｃ、６１Ｃは、複数のＬＥＤチップ２によってなる直列接続の両端に位置する導電線３に電気的に接続し、一方の導電プレートを正極とし、他方の導電プレートを負極として直列回路を構成する。さらに該直列回路が放熱基板１の両面にそれぞれ２組ずつ設けられ、計４組の直列回路が並列して設けられる。
【００１５】
前記４組の直列回路は、ＩＣなどの制御回路（図示しない）に電気的に接続して複数のＬＥＤチップ２の発光を制御する。即ち、制御回路（図示しない）と、正極と負極と対をなすそれぞれの導電プレート６、６１、６Ａ、６１Ａ、６Ｂ、６１Ｂ、６Ｃ、６１Ｃとを電気的に接続し、複数のＬＥＤチップ２の発光を制御する。この場合、制御回路の制御によって、それぞれの直列回路を順に通電させて、これら直列回路に電気的に接続するそれぞれのＬＥＤチップ２を単一の直列回路毎に交替で発光させる循環発光モード、もしくは、直列、並列を含むすべての回路に通電させて、全てのＬＥＤチップ２を同時に発光させる全発光モードのいずれも選択することができる。
【００１６】
したがって、この考案によれば、複数のＬＥＤチップ２を順に発光させることによって、個々のＬＥＤチップ２の発光時間を短縮することができ、ＬＥＤチップ２の使用寿命を延長させることができ、また、全てのＬＥＤチップ２を同時に発光させることによって均一な光線の照射が得られる。さらには、ＬＥＤチップ２から放射する光線が蛍光層７、７１を通過することによって、光線の色を変化させることができ、多種多様の照明具のニーズに応じることが可能である。
【符号の説明】
【００１７】
１          放熱基板
２          ＬＥＤチップ
３          導電線
５、５１、５Ａ、５１Ａ  絶縁シート
６、６１、６Ａ、６１Ａ、６Ｂ、６１Ｂ、６Ｃ、６１Ｃ  導電プレート
７、７１        蛍光層
８          モールド部
【図１】
0003158818.tif 000003
【図２】
0003158818.tif 000004
【図３】
0003158818.tif 000005
【図４】
0003158818.tif 000006
【図５】
0003158818.tif 000007
【図６】
0003158818.tif 000008
【手続補正書】
【提出日】平成22年2月16日(2010.2.16)
【手続補正１】
【補正対象書類名】実用新案登録請求の範囲
【補正対象項目名】請求項１
【補正方法】変更
【補正の内容】
【請求項１】
矩形の導電性を有する材質によってなる放熱基板と、
該放熱基板の両面に設けられる複数のＬＥＤチップと、
導電性を有す材質によってなり、該複数のＬＥＤチップを電気的に接続して、ＬＥＤチップの直列接続を複数組形成する複数の導電線と、
絶縁性を有する材質によってなり、該放熱基板の両面に設けられる４枚の絶縁シートと、
導電性を有する材質によってなり、それぞれの該絶縁シート上に貼着され、かつ該ＬＥＤチップの直列接続の一端に電気的に接続して正極となる導電プレートと、該ＬＥＤチップの直列接続の他端に電気的に接続して負極となる導電プレートとによって対をなす、複数対の導電プレートと、
蛍光粉を含むフィルム層であって、該複数のＬＥＤチップの表面を被覆する二枚の蛍光層と、
光透過性を具える材質によってなり、該放熱基板と、該複数のＬＥＤチップと、該複数の導電線と、該四枚の絶縁シートと、該複数対の導電プレートと、該二枚の蛍光層とをモールドするモールド部と、によって構成し、
直列接続された該複数のＬＥＤチップと、正極となる該導電プレートと、負極となる該導電プレートとによって直列回路を複数組形成するとともに、該複数組の直列回路が並列して設けられ、かつ該複数の直列回路が制御回路に接続して、該直列回路に電気的に接続するそれぞれのＬＥＤチップをそれぞれの直列回路毎に交替で発光させる循環発光モードか、もしくは、すべての該直列回路に通電させて、全てのＬＥＤチップを同時に発光させる全発光モードのいずれも選択することができるように構成することを特徴とするＬＥＤランプの直立型パッケージ構造。
【手続補正２】
【補正対象書類名】明細書
【補正対象項目名】０００５
【補正方法】変更
【補正の内容】
【０００５】
そこで、この考案によるＬＥＤランプの直立型パッケージ構造は、矩形の導電性を有する材質によってなる放熱基板と、該放熱基板の両面に設けられる複数のＬＥＤチップと、  導電性を有す材質によってなり、該複数のＬＥＤチップを電気的に接続して、ＬＥＤチップの直列接続を複数組形成する複数の導電線と、絶縁性を有する材質によってなり、該放熱基板の両面に設けられる４枚の絶縁シートと、導電性を有する材質によってなり、それぞれの該絶縁シート上に貼着され、かつ該ＬＥＤチップの直列接続の一端に電気的に接続して正極となる導電プレートと、該ＬＥＤチップの直列接続の他端に電気的に接続して負極となる導電プレートとによって対をなす、複数対の導電プレートと、蛍光粉を含むフィルム層であって、該複数のＬＥＤチップの表面を被覆する二枚の蛍光層と、光透過性を具える材質によってなり、該放熱基板と、該複数のＬＥＤチップと、該複数の導電線と、該四枚の絶縁シートと、該複数対の導電プレートと、該二枚の蛍光層とをモールドするモールド部と、によって構成し、直列接続された該複数のＬＥＤチップと、正極となる該導電プレートと、負極となる該導電プレートとによって直列回路を複数組形成するとともに、該複数組の直列回路が並列して設けられ、かつ該複数の直列回路を制御回路に接続して、該直列回路に電気的に接続するそれぞれのＬＥＤチップをそれぞれの直列回路毎に交替で発光させる循環発光モードか、もしくは、すべての該直列回路に通電させて、全てのＬＥＤチップを同時に発光させる全発光モードのいずれも選択することができるように構成する。